(57)【要約】      （修正有）【課題】ＩｍａｇｅＳｗｉｔｃｈ手法におけるハーフトーン処理の所要時間を、１レコード（印刷物１枚）当たりの印刷時間よりも短縮することが可能な可変情報印刷物及びその印刷方法を提供する。【解決手段】ハーフトーン処理を高速化するため、可変情報ごとにハーフトーン処理をするのではなく、事前にハーフトーン処理したパターンデータ同士を合成して、可変型のＩｍａｇｅＳｗｉｔｃｈデータを作成することで、高速の可変情報（記番号）印刷を実現した。【選択図】図８
2019123123.tif 000002
【特許請求の範囲】
【請求項１】
１つの第１の領域と、前記第１の領域に隣接する１つの第２の領域とが複数組配置され、各々の前記第２の領域の周囲が、複数の前記第１の領域により囲まれ、前記第１の領域は、赤外線吸収性色素を含まないインキを用いて構成された第１ａの網点部を有し、前記第２の領域は、赤外線吸収性色素を含むインキを用いて構成された第２ａの網点部と、赤外線吸収性色素を含まないインキを用いて構成された第２ｂの背景部とを有し、複数の前記第１の領域における前記第１ａの網点部により第１の階調画像が構成され、複数の前記第２の領域における前記第２ａの網点部により第２の階調画像が構成されていることを特徴とする網点印刷物において、
あらかじめハーフトーン処理された第１の原画像が、第１の階調画像パターン（１）としてコンピュータのメモリに格納され、あらかじめハーフトーン処理された第２の原画像が、第２の階調画像パターン（２）として、コンピュータのメモリに格納され、前記第１の階調画像パターン（１）と前記第２の階調画像パターン（２）が、可変情報に従って合成されることを特徴とする可変情報印刷物。
【請求項２】
前記第２の階調画像パターン（２）は、アルファベット及び／又は数字であることを特徴とする請求項１記載の可変情報印刷物。
【請求項３】
前記第２の領域の一辺の画素数がｐであり、この前記第２の領域に対して、前記第１の領域の一辺の画素数がｎ倍のとき、網点周期（Ｕ）をｐ（ｎ２＋１）と決定するステップ１と、
前記第１の原画像を、前記網点周期（Ｕ）に従って、前記第１の領域にハーフトーン処理を行い、前記第１の階調画像パターン（１）としてコンピュータの保存領域に保存するステップ２と、
前記第２の原画像を、前記網点周期（Ｕ）に従って、前記第２の領域にハーフトーン処理を行い、前記第２の階調画像パターン（２）としてコンピュータの保存領域に保存するステップ３と、
前記第１の階調画像パターン（１）と、前記第２の階調画像パターン（２）をコンピュータのメモリに読み込むステップ４と、
全ての画素に０（白画素）が割り当てられた作業領域を作成し、前記作業領域の座標値（０，０）に、コンピュータのメモリから、前記第１の階調画像パターン（１）を配置するステップ５と、
前記作業領域に前記第２の階調画像パターン（２）を配置する座標値（ｘ，ｙ）を前記網点周期（Ｕ）の公倍数とするステップ６と、
前記作業領域の前記座標値（ｘ，ｙ）に、コンピュータのメモリから、前記第２の階調画像パターン（２）を配置し、前記第２の領域内の前記第２の階調画像パターン（２）が１（黒画素）ならば、作業領域には、赤外線吸収性色素を含むインキ色の色情報を設定し、前記第２の領域内の前記第２の階調画像パターン（２）が０（白画素）ならば、作業領域には、赤外線吸収性色素を含まないインキ色の色情報を設定するステップ７と、
前記第１の階調画像パターン（１）と、前記第２の階調画像パターン（２）が配置された、前記作業領域を可変情報データとして、コンピュータの保存領域に保存するステップ８を有することを特徴とする請求項１及び請求項２記載の可変情報印刷物の作製方法。
【請求項４】
請求項３記載の可変情報印刷物の作製方法をコンピュータプログラムによって実行するためのソフトウェアを格納した記録媒体。
【発明の詳細な説明】
【技術分野】
【０００１】
本発明は、一枚ごとに識別可能な固有情報を印刷した偽造防止印刷物及び作成方法に関するものである。
【背景技術】
【０００２】
日本銀行券、宝くじ、お年玉付き年賀はがき等には、一枚ごとに異なる記番号が印字されている。このような記番号の印字は、その印字情報の改ざん行為を防止するため、地紋模様を印刷した上に、一枚ごとに異なる記番号を重ね刷りするのが一般的な手法である。この場合、先行の地紋模様の印刷はオフセット印刷機を用いて印刷する。その後、番号印刷機を用いて記番号を印字する。すなわち、二種類の印刷装置によって別々に印刷するのが特徴である。
【０００３】
後者の番号印刷機は、凸状の版を用いることから、凸版印刷という印刷方式に分類される。この凸版印刷の特徴の一つに、マージナルゾーンと呼ばれる、画線の輪郭に沿ってインキがたまることで部分的に印刷濃度が高くなる現象がある。このマージナルゾーンの有無が、凸版印刷か否かの判断材料になることから、他の印刷方式を用いた偽造品との違いを見つける鑑定要素となる場合がある。
【０００４】
一方、インクジェットプリンターやデジタル印刷機によるオンデマンド印刷方式では、地紋模様と記番号を同時に印刷すれば、重ね刷りするための設備や工数を節減できるため、費用面での改善が見込まれる。しかしながら、この場合は、マージナルゾーンの有無を観察して偽造品か否かを鑑定するという機能面は失われてしまう。そこで、偽造品の鑑定要素を補完するための手段として、不可視化した記番号を偽造防止策として用いる。
【０００５】
本出願人が先に出願した特許文献１では、二つの異なる画像を、網点画像として、同一平面状に均等に配置するためのハーフトーン処理技術による網点印刷物を提案している。また、同じく特許文献１では、オンデマンド印刷方式によって、画像を「可変情報（可変データ）」とすることを提案している。
【０００６】
図１及び図２は、特許文献１の網点印刷物（以下「ＩｍａｇｅＳｗｉｔｃｈ」という。）の網点構成を示す図の一例であり、第１の領域（１）及び第２の領域（２）が、互いに重なり合うことなく複数組配置されている。第１の網点部（１ａ）は、赤外線吸収性色素を含まないインキ（例えば、シアン、マゼンタ、イエロー）を用いて形成し、複数の第１の網点部（１ａ）によって、可視画像である第１の画像（３）を表現する。また、第２の網点部（２ａ）は、赤外線吸収性色素を含むインキ（例えば、カーボンを含むカーボンブラック）を用いて形成し、第２の背景部（２ｂ）は、赤外線吸収性色素を含まないインキを用いて形成し、複数の第２の網点部（２ａ）によって、赤外線環境において観察可能な潜像画像である第２の画像（４）を表現する。
【０００７】
このように作成されたＩｍａｇｅＳｗｉｔｃｈは、可視光において観察した場合、可視画像である第１の画像（３）が視認される。また、赤外線環境において観察した場合、可視画像である第１の画像（３）は見えず、潜像画像である第２の画像（４）だけが視認される。すなわち、潜像画像である第２の画像（４）は、不可視化された情報であり、ここに可変情報である記番号を用いることで、偽造防止機能を備えた記番号印刷を実現できる。
【先行技術文献】
【特許文献】
【０００８】
【特許文献１】特許第３５４４５３６号
【特許文献２】特許第５７２１１０１号
【発明の概要】
【発明が解決しようとする課題】
【０００９】
図３は、特許文献２におけるＩｍａｇｅＳｗｉｔｃｈの作成方法を示すフローチャートである。まず、第１の画像についてである。印刷物で可視画像として認識させたい第１の原画像（５）から第１の画像データ（５ａ）を作成する。次に、ハーフトーン処理のための領域を定義する第１のマスクデータ（５ｂ）を作成する。次に、第１の画像データ（５ａ）と第１のマスクデータ（５ｂ）を用いて、第１の領域のハーフトーン処理（５ｃ）を行う。なお、ハーフトーン処理とは、濃淡情報を持った画像に対して行う変換処理であり、例えば、ポストスクリプト網点発生法の一つであるＨａｌｆｔｏｎｅＴｙｐｅ１６に準じた方法を用いて行う。
【００１０】
次に、第２の画像についてである。印刷物で潜像画像として視認させたい第２の原画像（６）から第２の画像データ（６ａ）を作成する。次に、ハーフトーン処理のための領域を定義する第２のマスクデータ（６ｂ）を作成する。次に、第２の画像データ（６ａ）と第２のマスクデータ（６ｂ）を用いて、第２の領域のハーフトーン処理（６ｃ）を行う。次に、このハーフトーン処理後のデータと、第２のマスクデータ（６ｂ）を用いて、第２の領域の反転処理（６ｄ）を行う。
【００１１】
次に、第１の領域のハーフトーン処理（５ｃ）によって作成されたデータと、第２の領域のハーフトーン処理（６ｃ）によって作成されたデータと、第２の領域の反転処理（６ｄ）によって作成されたデータに、色情報を割り当てることで、網点印刷物のデータ（７）を作成する。
【００１２】
以上の工程を経て作成された網点印刷物のデータ（７）は、第１の原画像（５）を基に作成した第１の画像（３）と、第２の原画像（６）を基に作成した第２の画像（４）の二つの画像情報が含まれる。この画像データを基に印刷物（８）を作成する。この方法で作成されたＩｍａｇｅＳｗｉｔｃｈの印刷物を、所定の観察条件により観察すると、可視光では、第１の画像（３）が視認され、赤外線環境では、第２の画像（４）が視認される。
【００１３】
しかしながら、記番号のような可変情報ごとに、このハーフトーン処理を行うのは、多くの時間を要する。近年のインクジェットプリンターやデジタル印刷機は、大量生産のための高速化が図られており、機種によっては、Ａ４規格の用紙で、毎分３０枚以上を印刷する能力を備えている。例えば、官製はがきの場合、Ａ４規格の用紙に４枚分を配置できる。つまり、官製はがきに換算すれば、毎分１２０枚以上の印刷が可能ということになる。
【００１４】
毎分１２０枚以上を印刷する場合、そのための可変情報ごとのＩｍａｇｅＳｗｉｔｃｈデータを、毎分１２０レコード以上の速度で生成することが望ましい。つまり、ＩｍａｇｅＳｗｉｔｃｈを生成する１レコード当たりの所要時間は、０．５秒以下が理想であり、逆に、０．５秒以上を要すると、製造効率を低下させる原因となってしまう。したがって、このハーフトーン処理の所要時間を、１レコード（印刷物１枚）当たりの印刷時間よりも短縮することが、本発明の課題である。
【課題を解決するための手段】
【００１５】
本発明は、ＩｍａｇｅＳｗｉｔｃｈのハーフトーン処理の所要時間を短縮するため、可変情報ごとにハーフトーン処理するのではなく、事前にハーフトーン処理したパターンデータ同士を合成して、可変情報のＩｍａｇｅＳｗｉｔｃｈデータを作成することを特徴とする。
【００１６】
また、本発明の網点印刷物における可視画像は、ＩｍａｇｅＳｗｉｔｃｈの網点構成の周期に従ってハーフトーン処理したパターンデータであることを特徴とする。なお、このパターンデータは、色情報を保持したものでもよい。
【００１７】
また、本発明の網点印刷物における潜像画像は、記番号印刷に用いられる英数字を、それぞれＩｍａｇｅＳｗｉｔｃｈの網点構成の周期に従ってハーフトーン処理したパターンデータであることを特徴とする。なお、このパターンデータは、色情報を保持したものでもよい。
【００１８】
また、本発明のパターンデータは、ソフトウェアの実行処理の所要時間を短縮するため、コンピュータのメモリに格納したバイナリデータでもよい。
【００１９】
また、本発明のパターンデータ同士の合成は、ＩｍａｇｅＳｗｉｔｃｈの網点構成の周期に従って配置されていることを特徴とする。これは、パターンデータを配置する座標値に、網点構成の周期の公倍数を適用することで、ＩｍａｇｅＳｗｉｔｃｈの網点構成の周期を維持するものである。
【００２０】
なお、潜像画像が可変情報であることは、潜像画像の網点の大きさが、可変情報に応じて変化することになる。事前にパターンデータを作成して、そのパターンデータ同士を合成するには、周期的に繰り返される第２の領域（２）の位置関係を利用することが有効である。すなわち、第２の領域（２）の座標値に、潜像画像である第２の網点部（２ａ）の座標値を常時合わせることで、どのような網点の大きさでも、ＩｍａｇｅＳｗｉｔｃｈの網点構成を維持したままの合成が可能となる。
【発明の効果】
【００２１】
本発明の網点印刷物は、事前にハーフトーン処理したパターンデータを用いることで、インクジェットプリンターやデジタル印刷機の１枚当たりの印刷時間よりも短い所要時間で、可変情報のＩｍａｇｅＳｗｉｔｃｈデータを作成できることから、製造効率を低下させることなく、偽造防止機能を備えた記番号印刷を実現できる。
【図面の簡単な説明】
【００２２】
【図１】特許文献１及び特許文献２におけるＩｍａｇｅＳｗｉｔｃｈの網点構成を示す図の一例。
【図２】特許文献１及び特許文献２におけるＩｍａｇｅＳｗｉｔｃｈで視認される可視画像及び潜像画像を示す説明図。
【図３】特許文献１及び特許文献２におけるＩｍａｇｅＳｗｉｔｃｈの作成方法を示すフローチャート。
【図４】ハーフトーン処理したパターンデータを示す図の一例。
【図５】パターンデータの作成方法を示すフローチャート。
【図６】可変情報のＩｍａｇｅＳｗｉｔｃｈデータの作成方法を示すフローチャート。
【図７】ＩｍａｇｅＳｗｉｔｃｈの網点構成の周期を示すブロック図。
【図８】パターンデータ同士の合成を示す説明図。
【発明を実施するための形態】
【００２３】
本発明の実施の形態について、図面を参照して説明する。ＩｍａｇｅＳｗｉｔｃｈは、図１に示す網点構成を備えている。この網点構成は、複数の第１の領域（１）と、複数の第２の領域（２）から成るものである。各領域（１、２）は、肉眼ではそれぞれの領域を区別して視認することができない微細な大きさの領域であり、相互に隣接するように隙間なく規則的に配置されている。
【００２４】
第１の領域（１）は、可視光において観察される可視画像を表現するための第１の網点部（１ａ）を備え、第２の領域（２）は、赤外線環境において観察される潜像画像を表現するための第２の網点部（２ａ）と、その背景を形成する第２の背景部（２ｂ）を備えている。
【００２５】
このＩｍａｇｅＳｗｉｔｃｈの印刷物を、可視光で観察すると、図２に示す可視画像である第１の画像（３）が視認される。この場合、第２の領域（２）における第２の網点部（２ａ）と第２の背景部（２ｂ）は、濃度が均一な状態となるため、第１の網点部（１ａ）による第１の画像（３）のみが視認される。
【００２６】
一方、赤外線環境で観察すると、図２に示す潜像画像である第２の画像（４）が視認される。この場合、第２の領域（２）における第２の網点部（２ａ）は、赤外線吸収性色素を含むインキを用いて印刷されているため、赤外線環境では、濃度が維持される。その反面、第１の網点部（１ａ）と第２の背景部（２ｂ）は、赤外線吸収性色素を含まないインキを用いて印刷されているため、赤外線環境では、濃度が維持されずに見えなくなる。この結果、第２の網点部（２ａ）による第２の画像（４）のみが視認される。
【００２７】
このような機能を持つＩｍａｇｅＳｗｉｔｃｈデータを作成するには、図３に示すフローチャートに準じたハーフトーン処理が必要である。しかしながら、記番号印刷に用いる可変情報のＩｍａｇｅＳｗｉｔｃｈデータを作成する場合は、その可変情報ごとに、全ての処理を繰り返す必要があり、これが製造効率を低下させる原因となってしまう。
【００２８】
そこで、本発明では、可変情報ごとにハーフトーン処理するのではなく、事前にハーフトーン処理したパターンデータ同士を合成する方法を用いる。この場合、図４に示す第１のパターンデータ（９）を可視画像である第１の画像（３）として使用する。また、図４に示す第２のパターンデータ（１０）を潜像画像である第２の画像（４）として使用する。なお、第２のパターンデータ（１０）は、記番号印刷に用いられる英数字（アルファベット及び数字）を、それぞれの文字ごとに作成する。
【００２９】
図５は、本発明におけるパターンデータの作成方法を示すフローチャートである。図７に示すＩｍａｇｅＳｗｉｔｃｈの網点構成の周期のブロック図と、図８のパターンデータ同士の合成を示す説明図を参照し、図５のフローチャートに順じて説明する。
【００３０】
はじめに、パターンデータの「網点周期」を設定する。この網点周期とは、ＩｍａｇｅＳｗｉｔｃｈの網点構成の周期に従った値であり、[００２３]で述べたように、第１の領域（１）と第２の領域（２）が、相互に隣接するように隙間なく規則的に配置されたとき、同じ網点構成が同じ周期で繰り返される。例えば、第２の領域（２）の一辺の画素数がｐであり、この第２の領域（２）に対して、第１の領域（１）の一辺の画素数がｎ倍のとき、網点周期（Ｕ）は以下の計算式によって決定される。
Ｕ ＝ ｐ（ｎ２＋１）
ｐ：第２の領域（２）の一辺の画素数
ｎ：比率（第２の領域（２）に対する第１の領域（１）の大きさ）
この計算式について、図７を参照して説明する。第２の領域（２）が５画素×５画素であり、第１の領域（１）が２倍の１０画素×１０画素である場合、網点周期（Ｕ）は、２５画素×２５画素となる。つまり、２５画素×２５画素ごとに同じ網点構成が繰り返されている。したがって、図８に示すように、第１のパターンデータ（９）に合成する第２のパターンデータ（１０）の座標値（ｘ，ｙ）を、網点周期（Ｕ）の公倍数とすることで、ＩｍａｇｅＳｗｉｔｃｈの網点構成の周期が維持される。なお、図８では、第２のパターンデータ（１０）の画像サイズを、５０画素（網点周期（Ｕ）の２倍）×７５画素（網点周期（Ｕ）の３倍）で図解しているが、パターンデータの画像サイズについては、網点周期（Ｕ）の公倍数でなくてもよい［ＳＴＥＰ１］。
【００３１】
次に、この網点周期（Ｕ）に従って、可視画像として使用する第１のパターンデータ（９）を作成する。このパターンデータは、図７に示す第１の領域（１）のみを使って、ハーフトーン処理を行う。なお、このパターンデータに対して、色情報を保持させる場合は、赤外線吸収性色素を含まないインキ色（例えば、シアン、マゼンタ、イエロー）のみを設定する。また、ｎ通りの可視画像を作成する場合は、ｎ個のパターンデータを作成するが、それぞれのパターンデータは、どれも網点周期（Ｕ）に従っているものとする［ＳＴＥＰ２］。
【００３２】
次に、第１のパターンデータ（９）を、画像ファイル（例えば、ＴＩＦＦ形式のビットマップファイル）として保存する。この場合の保存先は、コンピュータ上の保存領域と、ネットワーク上の保存領域のどちらでも構わない［ＳＴＥＰ３］。
【００３３】
次に、網点周期（Ｕ）に従って、潜像画像として使用する第２のパターンデータ（１０）を作成する。このパターンデータは、図７に示す第２の領域（２）のみを使って、ハーフトーン処理を行う。なお、このパターンデータに対して、色情報を保持させる場合は、赤外線吸収性色素を含むインキ色（例えば、ブラック）のみを設定する。また、このパターンデータは、記番号印刷に使用される英数字ごとに作成するが、それぞれのパターンデータは、どれも網点周期（Ｕ）に従っているものとする［ＳＴＥＰ４］。
【００３４】
次に、第２のパターンデータ（１０）を、画像ファイル（例えば、ＴＩＦＦ形式のビットマップファイル）として保存する。この場合の保存先は、コンピュータ上の保存領域と、ネットワーク上の保存領域のどちらでも構わない［ＳＴＥＰ５］。
【００３５】
図６は、本発明における可変情報のＩｍａｇｅＳｗｉｔｃｈデータの作成方法を示すフローチャートである。はじめに、あらかじめ作成した第１のパターンデータ（９）と、第２のパターンデータ（１０）を、コンピュータのメモリに読み込む。それぞれのパターンデータについて、色情報が保持されていない場合は、この時点で、パターンデータに色情報を設定する。なお、色情報の設定条件は、前述したとおりである［ＳＴＥＰ１、２］。
【００３６】
次に、可変情報のＩｍａｇｅＳｗｉｔｃｈデータを作成する。なお、ＩｍａｇｅＳｗｉｔｃｈデータは、可変情報の１レコード当たり１ファイルを原則とする。したがって、可変情報（記番号）の開始値から終了値までを繰り返して処理する。まず、作業領域をコンピュータのメモリに新規作成する。この作業領域は、幅及び高さが、第１のパターンデータ（９）以上の画素数を持つビットマップ形式のデータであり、全ての画素に０（白画素）が割り当てられたものである［ＳＴＥＰ３］。
【００３７】
次に、作業領域の座標値（０，０）に、第１のパターンデータ（９）を配置する［ＳＴＥＰ４］。
【００３８】
次に、記番号に応じた第２のパターンデータ（１０）を配置するための座標値を算出する。なお、座標値は、記番号の桁ごとに算出する。例えば、ｓ桁目の座標値（ｘ，ｙ）は、以下の計算式によって決定される。
ｘ ＝ ｄｘ ＋（ｓ−１）× ｗ
ｙ ＝ ｄｙ
ｄｘ：ｘ方向のオフセット値（網点周期（Ｕ）の公倍数）
ｄｙ：ｙ方向のオフセット値（網点周期（Ｕ）の公倍数）
ｓ：桁
ｗ：第２のパターンデータ（１０）同士の間隔（網点周期（Ｕ）の公倍数）
この計算式について、図８を参照して説明する。第２のパターンデータ（１０）の第１桁目「Ａ」を配置する場合、第１のパターンデータ（９）に対するｘ方向のオフセット値（ｄｘ）は、２５画素（網点周期（Ｕ）の１倍）である。同様に、第１のパターンデータ（９）に対するｙ方向のオフセット値（ｄｙ）は、５０画素（網点周期（Ｕ）の２倍）である。また、桁（ｓ）は１（桁目）であり、第２のパターンデータ（１０）同士の間隔（ｗ）は、５０画素（網点周期（Ｕ）の２倍）である。したがって、第２のパターンデータ（１０）の第１桁目「Ａ」を配置するための座標値（ｘ，ｙ）は、ｘ＝２５、ｙ＝５０となる。なお、この計算式のｄｘ、ｄｙ及びｗに代入できる値は、パターンデータの作成時に設定した網点周期（Ｕ）の公倍数に限定される［ＳＴＥＰ５］。
【００３９】
次に、作業領域の座標値（ｘ，ｙ）に、記番号の英数字に対応する第２のパターンデータ（１０）を配置する。その際、作業領域に、第２のパターンデータ（１０）を合成するための演算処理を行う。図７の第２の領域（２）の各画素において、そこに配置される第２のパターンデータ（１０）が１（黒画素）ならば、作業領域には、赤外線吸収性色素を含むインキ色の色情報を設定する。反対に、そこに配置される第２のパターンデータ（１０）が０（白画素）ならば、作業領域には、赤外線吸収性色素を含まないインキ色の色情報を設定する。これによって、作業領域の第２の領域（２）に、第２の網点部（２ａ）と第２の背景部（２ｂ）が形成されることになる［ＳＴＥＰ６］。
【００４０】
次に、作業領域を、ＩｍａｇｅＳｗｉｔｃｈデータの画像ファイル（例えば、ＴＩＦＦ形式のビットマップファイル）として保存する。この場合の保存先は、コンピュータ上の保存領域と、ネットワーク上の保存領域のどちらでも構わない［ＳＴＥＰ７］。
【００４１】
以上の方法によって作成された可変情報のＩｍａｇｅＳｗｉｔｃｈは、図３に示すＩｍａｇｅＳｗｉｔｃｈの作成方法を用いた場合と、偽造防止技術としての効果は同じであるが、図３に示すＩｍａｇｅＳｗｉｔｃｈの作成方法を実現するアプリケーションソフトウェアを使用した場合の所要時間に対して、本発明の作成方法の所要時間は、約１／８００まで短縮される結果となった。
【符号の説明】
【００４２】
１  第１の領域
１ａ  第１の網点部
２  第２の領域
２ａ  第２の網点部
２ｂ  第２の背景部
３  第１の画像
４  第２の画像
５  第１の原画像
５ａ  第１の画像データ
５ｂ  第１のマスクデータ
５ｃ  第１の領域のハーフトーン処理
６  第２の原画像
６ａ  第２の画像データ
６ｂ  第２のマスクデータ
６ｃ  第２の領域のハーフトーン処理
６ｄ  第２の領域の反転処理
７  網点印刷物のデータ
８  印刷物
９  第１のパターンデータ
１０  第２のパターンデータ
Ｕ  網点周期
【図１】
2019123123.tif 000003
【図２】
2019123123.tif 000004
【図３】
2019123123.tif 000005
【図４】
2019123123.tif 000006
【図５】
2019123123.tif 000007
【図６】
2019123123.tif 000008
【図７】
2019123123.tif 000009
【図８】
2019123123.tif 000010